(57)【要約】【課題】移動通信システムで待機時間を用いる多様な加入者情報提供装置及び方法を提供する。【解決手段】本発明は、移動通信システムで加入者情報提供装置であって、加入者通話連結のための待機時間に待機端末に提供しようとする加入者情報及び情報の公開対象及び公開程度を含む登録情報が記録されて管理されるデータベースと、加入者から加入者情報を受信してデータベース化し、発信者側の呼の要求時に該当加入者の情報を前記データベースから検索及び取り出し、公開水準により交換局に提供する待機時間情報管理サーバと、発信端末の呼要求時に、待機時間情報管理サーバに着信加入者の情報を要求し、待機時間情報管理サーバから受信された加入者情報を用いて待機時間情報を前記発信端末に伝送する交換局と、を含むことを特徴とする。【選択図】図５
2007020193.tif 000002
【特許請求の範囲】
【請求項１】
移動通信システムで加入者情報提供装置であって、
加入者通話連結のための待機時間に待機端末に提供しようとする加入者情報及び前記情報の公開対象及び公開程度を含む登録情報が記録されて管理されるデータベースと、
加入者から加入者情報を受信してデータベース化し、発信者側の呼の要求時に該当加入者の情報を前記データベースから検索及び取り出し、前記公開水準により交換局に提供する待機時間情報管理サーバと、
を含んでいて、
前記交換局は、発信端末の呼要求時に、前記待機時間情報管理サーバに着信加入者の情報を要求し、前記待機時間情報管理サーバから受信された前記加入者情報を用いて待機時間情報を前記発信端末に伝送することを特徴とする装置。
【請求項２】
前記待機時間情報は、加入者が設定した加入者プロファイル、通信事業者側で提供する加入者情報、フラッシュ、加入者の個人化されたウェブページ、加入者のウェブアドレス情報、及び加入者の現在位置情報のうち、少なくとも一つを含むことを特徴とする請求項１記載の装置。
【請求項３】
前記待機時間情報管理サーバは、着信加入者の位置をリアルタイムで追跡及び提供する位置情報登録/管理サーバを含むことを特徴とする請求項２記載の装置。
【請求項４】
移動通信システムで加入者情報提供装置であって、
加入者通話連結のための待機時間に待機端末に提供しようとする加入者情報及び前記情報の公開対象及び公開程度を含む登録情報が記録されて管理されるデータベースと、
加入者から加入者情報を受信してデータベース化し、発信者側の呼要求時に該当加入者の情報を前記データベースから検索及び取り出し、メディアサーバとの連動が必要である場合に、前記メディアサーバに加入者の情報を要求及び受信し、前記加入者情報を前記公開水準により交換局に提供する待機時間情報管理サーバと、
を含んでいて、
前記メディアサーバは、前記待機時間情報管理サーバが要求する該当加入者の情報をデータベースから検索及び取り出して前記待機時間情報管理サーバに伝送し、
前記交換局は、発信端末の呼要求時に、前記待機時間情報管理サーバに着信加入者の情報を要求し、前記待機時間情報管理サーバから受信された前記加入者情報を用いて待機時間情報を前記発信端末に伝送する
ことを特徴とする装置。
【請求項５】
前記待機時間情報は、加入者が設定した加入者プロファイル、通信事業者側から提供される加入者情報、フラッシュ、加入者の個人化されたウェブページ、加入者のウェブアドレス情報、及び加入者の現在位置情報のうち少なくとも一つを含むことを特徴とする請求項４記載の装置。
【請求項６】
加入者通話連結のための待機時間で、前記交換局から受信された待機時間情報を再生し、或いは前記受信されたウェブアドレス情報を用いて着信加入者のブログ及びホームページに接続する前記発信端末をさらに含むことを特徴とする請求項５記載の装置。
【請求項７】
前記加入者情報の検索のためのコード値を含む呼要求メッセージを交換局に伝送し、検索された情報として生成された待機時間情報を前記交換局から受信して加入者通話連結のための待機時間で再生する前記発信端末をさらに含むことを特徴とする請求項５記載の装置。
【請求項８】
移動通信システムで加入者情報提供方法であって、
加入者の情報及び前記情報の公開水準を有線又は無線ネットワークを通じて受信してデータベース化する段階と、
発信端末の呼要求が感知されるときに、前記情報公開水準により予め設定された加入者情報を用いて待機時間情報を生成する段階と、
前記生成された待機時間情報を発信端末に伝送する段階と、
を含むことを特徴とする方法。
【請求項９】
前記待機時間情報は、加入者が設定した加入者プロファイル、通信事業者側から提供される加入者情報、フラッシュ、加入者の個人化されたウェブページ、加入者のウェブアドレス情報、及び加入者の現在位置情報のうち少なくとも一つを含むことを特徴とする請求項８記載の方法。
【請求項１０】
前記加入者の情報獲得が他のサーバとの連動を必要とするときに、該当サーバに前記加入者の情報を要求し、前記サーバから受信される加入者情報を用いて前記待機時間情報を生成する段階をさらに含むことを特徴とする請求項８記載の方法。
【請求項１１】
前記該当サーバはメディアサーバであることを特徴とする請求項１０記載の方法。
【請求項１２】
前記発信端末の呼要求は、特定情報の検索のためのコード値を含むメッセージを用いることを特徴とする請求項１０記載の方法。
【請求項１３】
発信端末の呼要求時に、待機時間情報管理サーバに加入者の情報を要求し、前記待機時間情報管理サーバから受信された加入者情報を用いる待機時間情報を発信端末に伝送する交換局と、加入者通話連結のための待機時間で前記交換局から受信した待機時間情報を再生する移動通信端末機とを含む移動通信システムで、前記待機時間情報管理サーバが加入者情報を提供するための方法であって、
加入者から加入者情報及び前記情報の公開水準を受信してデータベースに貯蔵する段階と、
発信者側の呼要求時に、該当加入者の情報を前記データベースから検索及び取り出して前記公開水準により前記交換局に提供する段階と、
を含むことを特徴とする方法。
【請求項１４】
前記加入者の情報獲得が他のサーバとの連動を必要とする場合に、該当サーバに前記加入者の情報を要求する段階と、前記サーバから受信される加入者情報を前記交換局に伝送する段階をさらに含むことを特徴とする請求項１３記載の方法。
【請求項１５】
移動通信システムで加入者情報提供方法であって、
待機時間情報管理サーバが加入者の情報及び前記情報の公開水準を有線又は無線ネットワークを通じて受信してデータベース化する段階と、
発信端末が呼要求時に、交換局が前記待機時間情報管理サーバに前記加入者の情報を要求する段階と、
前記要求を受信した前記待機時間情報管理サーバが前記情報公開水準により予め登録された加入者情報を前記交換局に伝送する段階と、
前記交換局が前記待機時間情報管理サーバから受信した前記加入者情報を用いて待機時間情報を前記発信端末に伝送し、着信加入者端末には呼を要求する段階と、
前記発信端末が加入者通話の連結のための待機時間で前記交換局から受信された待機時間情報を再生する段階と、
を含むことを特徴とする方法。
【請求項１６】
前記待機時間情報管理サーバが、前記加入者の情報獲得のために該当サーバに前記加入者の情報を要求する段階と、前記サーバから受信される加入者情報を前記交換局に伝送する段階をさらに含むことを特徴とする請求項１５記載の方法。
【請求項１７】
移動通信システムで加入者情報提供方法のためのコンピュータ読み取りプログラムを貯蔵するコンピュータ読み取り媒体であって、前記方法は、
加入者の情報及び前記情報の公開水準を有線又は無線ネットワークを通じて受信してデータベース化する段階と、
発信端末の呼要求が感知されるときに、前記情報公開水準により予め設定された加入者情報を用いて待機時間情報を生成する段階と、
前記生成された待機時間情報を発信端末に伝送する段階と、
を含むことを特徴とするコンピュータ読み取り媒体。
【請求項１８】
前記待機時間情報は、加入者が設定した加入者プロファイル、通信事業者側から提供される加入者情報、フラッシュ、加入者の個人化されたウェブページ、加入者のウェブアドレス情報、及び加入者の現在位置情報のうち少なくとも一つを含むことを特徴とする請求項１７記載のコンピュータ読み取り媒体。
【請求項１９】
前記方法は、前記加入者の情報獲得が他のサーバとの連動を必要とするときに、該当サーバに前記加入者の情報を要求し、前記サーバから受信される加入者情報を用いて前記待機時間情報を生成する段階をさらに含むことを特徴とする請求項１７記載のコンピュータ読み取り媒体。
【請求項２０】
前記該当サーバはメディアサーバであることを特徴とする請求項１９記載のコンピュータ読み取り媒体。
【請求項２１】
前記発信端末の呼要求は、特定情報の検索のためのコード値を含むメッセージを用いることを特徴とする請求項１９記載のコンピュータ読み取り媒体。
【請求項２２】
移動通信システムで加入者情報提供装置であって、
加入者通話連結のための待機時間に待機端末に提供しようとする加入者情報を含む登録情報が記録されて管理されるデータベースと、
加入者から加入者情報を受信してデータベース化し、発信者側の呼の要求時に該当加入者の情報を前記データベースから検索及び取り出し、提供する待機時間情報管理サーバと、
を含むことを特徴とする装置。
【請求項２３】
移動通信システムで加入者情報提供装置であって、
加入者通話連結のための待機時間に待機端末に提供しようとする加入者情報を含む登録情報が記録されて管理されるデータベースと、
加入者から加入者情報を受信してデータベース化し、発信者側の呼要求時に該当加入者の情報を前記データベースから検索及び取り出し、メディアサーバとの連動が必要である場合に、前記メディアサーバに加入者の情報を要求及び受信し、提供する待機時間情報管理サーバと、
を含んでいて、
前記メディアサーバは、前記待機時間情報管理サーバが要求する該当加入者の情報をデータベースから検索及び取り出して前記待機時間情報管理サーバに伝送することを特徴とする装置。
【発明の詳細な説明】
【技術分野】
【０００１】
本発明は移動通信システムに関するもので、特に、通話待機時間を用いる情報提供装置及び方法に関するものである。
【背景技術】
【０００２】
一般的に公衆電話網(Ｐｕｂｌｉｃ  Ｓｗｉｔｃｈｅｄ  Ｔｅｌｅｐｈｏｎｅ  Ｎｅｔｗｏｒｋ：ＰＳＴＮ）と連動する有線通信システムの場合に、通信プロトコルによって通話チャンネルが設定されると、移動通信交換局から着信者に呼び出し音信号が伝送され、発信者には単純なリングバックトーン(ｒｉｎｇ  ｂａｃｋ  ｔｏｎｅ：通常ブルルルルという呼び出し音）が伝送される。このとき、通話連結音は発信者電話機のスピーカーを通じて発信者に提供され、呼び出し音信号は着信者電話機のスピーカーを通じて提供される。着信者は、このような多様な呼び出し音を用意して電話機上で希望する呼び出し音を選択することが可能にする。
【０００３】
移動通信システムの場合に、上記した有線通信システムの場合と類似に着呼時に基地局は、着信者の端末機に情報警報メッセージを伝送して端末機上で設定した音楽が演奏されるようにする。発信者の端末機には従来の通話連結音の規格内で定められた単純な通話連結音をそのまま発信者端末機のスピーカーに提供する。
【０００４】
最近、従来の信号音の代りに着信者が選択した音楽やメッセージを発信者に伝送するサービス、例えば、カラーリングサービスが提示される。カラーリングサービスとしては、着信者が予め設定された音源として通話連結音を提供するカラーリングサービスと発信者が予め設定された音源として通話連結音を提供するカラーリングサービスがある。しかしながら、このようなカラーリングサービスは、既存の単純な通話連結音の代りに音楽として通話連結音を提供する単純音源提供サービスに過ぎない。画像通信用端末機の場合に、通話待機時間に事前製作された特定広告を発信者に提供するが、提供される情報に限界がある。
【０００５】
上記したように、従来のサービスでユーザーが登録又は要求した音源及び広告などの単純情報は発信者の興味を引かず、発信者が有用/活用可能な情報でなく、だけでなく最初に登録したデータのみを提供するため、データをアップデートし、或いは新たな情報をリアルタイムで発信者に提供することが不可能であるという問題点があった。また、発信側は、着信側の設定した情報をそのまま受け入れるため、必要な情報の検索又は選択及びアクティブな活用が不可能であるという問題点もあった。
【０００６】
なお、第３世代以後の通信システムでは、データ通信がより活性化可能な環境が提供され、通話待機時間に多様なコンテンツ及びマルチメディアデータを提供することができる。しかしながら、現在、上記のサービスに対する具体的なサービス方案が提示されていないのが実情である。
【発明の開示】
【発明が解決しようとする課題】
【０００７】
したがって、上記のような従来技術の問題点を解決するために、本発明の目的は、移動通信システムで待機時間を用いる多様な加入者情報提供装置及び方法を提供することにある。
【０００８】
本発明の他の目的は、移動通信システムで通話待機時間に着信者のプロファイルのような情報をリアルタイムで提供及び活用することができる装置及び方法を提供することにある。
【０００９】
また、本発明の目的は、移動通信システムで通話待機時間に発信者が必要とする情報を収集してリアルタイムで提供する装置及び方法を提供することにある。
【課題を解決するための手段】
【００１０】
上記のような目的を達成するために、本発明は、移動通信システムで加入者情報提供装置であって、加入者通話連結のための待機時間に待機端末に提供しようとする加入者情報及び前記情報の公開対象及び公開程度を含む登録情報が記録されて管理されるデータベースと、加入者から加入者情報を受信してデータベース化し、発信者側の呼の要求時に該当加入者の情報を前記データベースから検索及び取り出し、前記公開水準により交換局に提供する待機時間情報管理サーバと、を含むことを特徴とする。前記交換局は、発信端末の呼要求時に、前記待機時間情報管理サーバに着信加入者の情報を要求し、前記待機時間情報管理サーバから受信された前記加入者情報を用いて待機時間情報を前記発信端末に伝送する。
【００１１】
また、本発明は、移動通信システムで加入者情報提供装置であって、加入者通話連結のための待機時間に待機端末に提供しようとする加入者情報及び前記情報の公開対象及び公開程度を含む登録情報が記録されて管理されるデータベースと、加入者から加入者情報を受信してデータベース化し、発信者側の呼要求時に該当加入者の情報を前記データベースから検索及び取り出し、メディアサーバとの連動が必要である場合に、前記メディアサーバに加入者の情報を要求及び受信し、前記加入者情報を前記公開水準により交換局に提供する待機時間情報管理サーバと、を含むことを特徴とする。前記メディアサーバは、前記待機時間情報管理サーバが要求する該当加入者の情報をデータベースから検索及び取り出して前記待機時間情報管理サーバに伝送する。前記交換局は、発信端末の呼要求時に、前記待機時間情報管理サーバに着信加入者の情報を要求し、前記待機時間情報管理サーバから受信された前記加入者情報を用いて待機時間情報を前記発信端末に伝送する。
【００１２】
本発明は、移動通信システムで加入者情報提供方法であって、加入者の情報及び前記情報の公開水準を有線又は無線ネットワークを通じて受信してデータベース化する段階と、発信端末の呼要求が感知されるときに、前記情報公開水準により予め設定された加入者情報を用いて待機時間情報を生成する段階と、前記生成された待機時間情報を発信端末に伝送する段階と、を含むことを特徴とする。
【００１３】
さらに、本発明は、発信端末の呼要求時に、待機時間情報管理サーバに加入者の情報を要求し、前記待機時間情報管理サーバから受信された加入者情報を用いる待機時間情報を発信端末に伝送する交換局と、加入者通話連結のための待機時間で前記交換局から受信した待機時間情報を再生する移動通信端末機とを含む移動通信システムで、前記待機時間情報管理サーバが加入者情報を提供するための方法であって、加入者から加入者情報及び前記情報の公開水準を受信してデータベースに貯蔵する段階と、発信者側の呼要求時に、該当加入者の情報を前記データベースから検索及び取り出して前記公開水準により前記交換局に提供する段階と、を含むことを特徴とする。
【００１４】
また、本発明は、移動通信システムで加入者情報提供方法であって、待機時間情報管理サーバが加入者の情報及び前記情報の公開水準を有線又は無線ネットワークを通じて受信してデータベース化する段階と、発信端末が呼要求時に、交換局が前記待機時間情報管理サーバに前記加入者の情報を要求する段階と、前記要求を受信した前記待機時間情報管理サーバが前記情報公開水準により予め登録された加入者情報を前記交換局に伝送する段階と、前記交換局が前記待機時間情報管理サーバから受信した前記加入者情報を用いて待機時間情報を前記発信端末に伝送し、着信加入者端末には呼を要求する段階と、前記発信端末が加入者通話の連結のための待機時間で前記交換局から受信された待機時間情報を再生する段階と、を含むことを特徴とする。
【００１５】
また、本発明は、移動通信システムで加入者情報提供方法のためのコンピュータ読み取りプログラムを貯蔵するコンピュータ読み取り媒体を提供する。加入者の情報及び前記情報の公開水準を有線又は無線ネットワークを通じて受信してデータベース化する。発信端末の呼要求が感知されるときに、前記情報公開水準により予め設定された加入者情報を用いて待機時間情報を生成する。前記生成された待機時間情報を発信端末に伝送する。
【発明の効果】
【００１６】
本発明は、移動通信システムで、通話待機時間に着信者の基本情報及び関連情報を提供することによって、待機時間の退屈さを解消し、新たな端末/システムの収益モデルを構築し、なおビジネスに積極活用して顧客及び人脈管理にも活用することが可能である。また、呼の接続のための短い待機時間にも多機能融合システムを適切に活用することによって、ユーザーに有用化及び知能化した情報を提供することができる利点がある。また、通話の目的以外にも活用が可能で、例えば、通話不能の場合に、相手方の状態を把握して再通話可否を決定する目的で活用が可能である利点がある。
【発明を実施するための最良の形態】
【００１７】
以下、本発明の望ましい実施形態を添付の図面を参照して詳細に説明する。
【００１８】
下記に、本発明に関連した公知の機能或いは構成に関する具体的な説明が本発明の要旨を不明にすると判断された場合に、その詳細な説明を省略する。
【００１９】
図１は、本発明による移動通信システムの構造を示す。図１を参照すると、端末１０１-１，１０１-２は、サービス領域内で移動する無線加入者の端末機で、基地局１０２-１，１０２-２と無線チャンネルを通じて通信する。端末は３つの類型がある。停止又は低速である場合にはＰＳ(Ｐｅｒｓｏｎａｌ  Ｓｔａｔｉｏｎ)、車両又は航空機のように高速である場合にはＭＳ(Ｍｏｂｉｌｅ  Ｓｔａｔｉｏｎ)、そして人工衛星を用いるサービスである場合にはＭＥＳ(Ｍｏｂｉｌｅ  Ｅａｒｔｈ  Ｓｔａｔｉｏｎ)を用いる。
【００２０】
基地局(Ｂａｓｅ  Ｓｔａｔｉｏｎ：ＢＳ）１０２-１，１０２-２は、管理するセル内に位置する端末１０１-１，１０１-２から送信信号を無線チャンネルを通じて受信して移動通信交換局１０３に伝送する。逆に、基地局１０２-１，１０２-２は、移動通信交換局１０３からの信号を無線チャンネルを通じて端末１０１-１，１０１-２に送信する機能を遂行する。
【００２１】
移動通信交換局(Ｍｏｂｉｌｅ  Ｓｗｉｔｃｈｉｎｇ  Ｃｅｎｔｅｒ：ＭＳＣ)１０３は、公衆電話通信網(ＰＳＴＮ）と移動通信網のインターフェース役割を担当して加入者に回線交換サービスを提供するだけでなく、ホームネットワーク位置登録器(図示せず)及び訪問ネットワーク位置登録器(図示せず）のデータベースから呼の処理時に必要なすべてのデータを検索し、一番最新のデータとしてデータベースを更新する役割を果たす。通常の機能に加えて、本発明により該当サーバから加入者が予め定められた情報データを受信して待機時間情報を生成し、発信端末に伝送する役割をする。
【００２２】
メディアサーバ１０５は、音楽、映画、ミュージックビデオのようなマルチメディアコンテンツファイルを貯蔵し、通常的機能に加えて、本発明により待機時間情報管理サーバに予め登録された着信加入者のコンテンツ要求により、該当コンテンツをデータベースで検索して待機時間情報管理サーバに伝送する役割をする。また、ウェブ(Ｗｅｂ)サーバと連動されて加入者端末が無線データ通信網を通じてワールドワイドウェブに接近可能なインターフェース役割をする。本発明の一実施形態によると、発信者は着信者との呼接続要求時に、呼の接続のための待機時間に着信側のウェブページ又は着信側の多様な検索情報をメディアサーバ１０５を通じてウェブサーバに要求及び伝送を受けることができる。
【００２３】
待機時間情報管理システム(Ｓｔａｎｄｂｙ  Ｔｉｍｅ  Ｉｎｆｏｒｍａｔｉｏｎ  Ｍａｎａｇｉｎｇ  Ｓｙｓｔｅｍ)１０４は、待機時間情報管理サーバを含んで加入者が情報データを登録/管理し、加入者に待機時間情報サービスを提供する。本発明の一実施形態により、位置情報登録/管理サーバ(図示せず)を含んで着信端末の位置情報を登録して管理することもできる。
【００２４】
位置情報登録/管理サーバ(図示せず）は、位置情報サービス(Ｌｏｃａｔｉｏｎ  Ｂａｓｅｄ  Ｓｅｒｖｉｃｅ：ＬＢＳ）システムを用いて加入者の位置をリアルタイムで追跡及び提供する機能を遂行する。ここで、位置情報サービスは、大きく移動通信基地局を用いるセル方式と衛星航法装置を用いるＧＰＳ(Ｇｌｏｂａｌ  Ｐｏｓｉｔｉｏｎｉｎｇ  Ｓｙｓｔｅｍ)方式に分けられる。セル方式の場合に、加入者は現在サービスを受信しているセルに基づいて位置情報を提供し、基地局の管理を遂行する交換局のＨＬＲ(Ｈｏｍｅ  Ｌｏｃａｔｉｏｎ  Ｒｅｇｉｓｔｅｒ)(図示せず）は、加入者が位置した基地局又はＡＰ(Ａｃｃｅｓｓ  Ｐｏｉｎｔ)から加入者の位置の報告を周期的に受信し、これを貯蔵管理する。また、加入者の呼又は着発信の禁止及び各種付加サービスを制御する。望ましくは、本発明による位置情報サービスの提供要求を受信した場合に、管理中である位置登録情報を提供する。ＡＰを用いる位置情報サービスである場合に、ＡＰのサービス半径が従来のセルラーに比べて限定されているため、比較的正確な位置追跡が可能であるという特徴がある。衛星航法装置を用いるＧＰＳ方式は、ＧＰＳ衛星１０６を用いて端末１０１-１，１０１-２の利用者の位置をリアルタイムで追跡及び把握することによって、加入者の位置情報を提供することが可能である。また、ＧＰＳ受信器が搭載された着信端末と通信し、この着信端末の位置情報を伝送する役割をする。本発明の一実施形態により、位置情報登録/管理サーバ(図示せず）は、待機時間情報管理システム１０４でセル又は衛星などの位置情報サービスシステムを用いて着信端末の位置情報を登録して管理する役割をする。
【００２５】
図２は、本発明の第１の実施形態による移動通信システムで待機時間を用いる加入者情報の提供手順を示す。図２を参照すると、着信端末２６０は、ステップ２０１で、待機時間情報管理サーバ２４０に情報データを登録することによって待機時間情報サービスに加入し、ユーザー情報の公開水準を設定する。ここで、情報データは、着信加入者が設定する音声、イメージ、動映像のようなユーザー設定情報で、発信端末の呼要求がある場合に発信端末に提供するための加入者の情報を意味する。
【００２６】
本発明の一実施形態によると、加入者は、自分の移動端末又はウェブ上で提供しようとする情報の生成が可能である。望ましくは、ウェブに接続してサービス提供者が提供する所定のテンプレートに自分の写真、人的事項、挨拶の言葉などのプロファイルをアップロードすることで、多様なコンテンツを容易に製造し、これを通信事業者又は待機時間情報管理システムに登録する。このように登録された待機時間活用情報は、以後発信者の呼要求時に、相互連結のための待機時間に発信者の端末に提供される。待機時間活用情報は、通常に呼の接続のための待機時間が１分未満であることを考慮すると、これに活用可能な簡略な情報として提供されることが望ましく、所定のテンプレート(Ｔｅｍｐｌａｔｅ)形態で加入者に提供可能である。
【００２７】
図６は、本発明の第１の実施形態による発信者端末に提供される待機時間活用情報を示す。ここで、加入者が予め自分のイメージ６０１及び簡単な挨拶の言葉とプロファイル６０５を登録すると、発信者が呼び出すときに、この登録された情報６０１，６０５と共に、着信加入者のリアルタイム位置情報６０３が表示されて発信者の待機画面に提供される。
【００２８】
公開水準設定は、加入者の情報を保護するための手段として、加入者の位置情報の提供水準及び提供可否が設定できる。言い換えれば、着信者は待機時間活用情報データを登録するときに公開水準を共に設定することで、自分の情報が無差別的に露出されることを防止することができる。ここで、加入者の情報は、情報保護の面で自分が希望する相手方のみに提供されるように構成することが望ましい。例えば、自分の端末住所録に登録された相手方のみにデータが提供されるように設定することも可能である。情報公開水準の設定ステップを通じて自分の位置及び身上情報が無断活用されるとか盗用されることを防止することができる。以後、着信端末２６０は、ステップ２０２で、待機時間情報管理サーバ２４０に位置情報を登録して管理する。
【００２９】
発信端末２００は、ステップ２０３で、移動通信交換局２２０に呼要求メッセージを伝送する。この呼要求メッセージを受信した移動通信交換局２２０は、着信端末がサービス加入端末であることを判断し、ステップ２０４で、待機時間情報管理サーバ２４０に位置情報要求メッセージを伝送する。このとき、位置情報要求メッセージを受信した待機時間情報管理サーバ２４０は、データベースで着信加入者の位置情報を検索し、予め定められた公開水準によりステップ２０５で、移動通信交換局２２０に着信加入者の位置情報メッセージを伝送する。
【００３０】
移動通信交換局２２０は、ステップ２０６で、位置情報メッセージで着信加入者情報を取り出す。移動通信交換局２２０は、ステップ２０７で、加入者情報とコール(ｃａｌｌ)ＩＤが一致するか否かを確認する。その結果、加入者情報とコールＩＤが一致すると、移動通信交換局２２０は、ステップ２０８に進行して待機時間情報(Ｓｔａｎｄｂｙ  Ｔｉｍｅ  Ｉｎｆｏｒｍａｔｉｏｎ)を生成する。ここで、待機時間情報は待機時間情報管理サーバ２４０から受信した着信者の位置情報を含んでサービス登録時に着信加入者が設定した音声、イメージ、動映像のようなユーザー情報として生成される。
【００３１】
待機時間情報が生成されると、移動通信交換局２２０は、ステップ２０９で、生成されたデータを発信端末２００に伝送し、ステップ２１０で着信端末２６０に呼を要求する。発信端末２００は、呼が接続される前までの待機時間で移動通信交換局２２０から受信したデータを再生する。それによって、発信者は、待機時間サービスとして着信者の位置に対するサービスの提供を受ける。発信端末２００と着信端末２６０との呼が接続されると、発信端末２００は、データの再生を止め、ステップ２１２で着信端末２６０との通話を開始する。しかしながら、本発明の他の実施形態によると、発信端末２００と着信端末１６０との通話連結がなされた後にも所定時間で待機時間情報が提供されるように構成可能である。
【００３２】
図３は、本発明の第２の実施形態による移動通信システムで待機時間を用いる加入者情報の提供手順を示す。図３を参照すると、着信端末３８０は、ステップ３０１で、待機時間情報管理サーバ３４０にユーザーの情報データを登録することによって待機時間情報サービスに加入し、ユーザー情報の公開水準を設定する。ここで、ユーザーの情報データは、ユーザーの人物写真、自己紹介のデータ、日程の登録情報、及びウェブ連動情報となりうる。本発明の一実施形態によると、加入者は、ミニホームページ又はブログなどの個人ウェブページを管理し、通話待機時間に発信端末にウェブ上のアドレスを提供する。それによって、発信端末のユーザーが無線インターネットを用いて着信者のミニホームページ又はブログに接続可能である。また、通話待機時間に無線通信網で発信端末にウェブ上のコンテンツをすぐ提供することも可能である。その後、着信端末３８０は、ステップ３０２で、メディアサーバ３６０に接続して個人ウェブページ/ミニホームページなどで個人情報を管理し、データを更新する。
【００３３】
発信端末３００が、ステップ３０３で、移動通信交換局３２０に呼要求メッセージを伝送する。移動通信交換局３２０は、ステップ３０４で、待機時間情報管理サーバ３４０に登録情報要求メッセージを伝送する。登録情報要求メッセージを受信した待機時間情報管理サーバ３４０は、着信端末がサービス加入端末であることを判断し、ステップ３０５で着信者のユーザー登録情報を検索して公開水準により移動通信交換局３２０に検索された登録情報を伝送する。このとき、待機時間情報管理サーバ３４０は、ステップ３０６で、登録されたウェブ連動情報、例えば、ＩＰ又はウェブアドレスなどの情報を用いてメディアサーバ３６０にウェブ情報要求メッセージを伝送する。
【００３４】
メディアサーバ３６０は、ステップ３０７及び３０８で、待機時間情報管理サーバ３４０を経て移動通信交換局３２０に着信者の個人ウェブアドレス及びコンテンツ情報メッセージを伝送する。着信者の個人ウェブアドレス及びコンテンツ情報メッセージを受信した移動通信交換局３２０は、ステップ３０９で、ユーザー情報とコールＩＤが一致するか否かを確認する。この２つの情報が一致すると、移動通信交換局３２０は、待機時間情報管理サーバ３４０から伝送された着信者の登録情報とウェブアドレス/コンテンツ情報を用いて待機時間情報を生成し、ステップ３１０で、生成された待機時間情報を発信端末３００に伝送する。例えば、待機時間情報は、待機時間情報管理サーバ３４０とメディアサーバ３６０から受信した着信者人物写真、自己紹介データ、日程登録情報、及びブログ、ホームページのようなウェブアドレスなどを用いて生成可能である。このとき、移動通信交換局は、ステップ３１１に進行して着信端末３８０に呼要求メッセージを伝送する。
【００３５】
発信端末３００は、ステップ３１２で、ユーザーのキー入力がある場合に受信されたウェブアドレスを用いて着信者のウェブページに接続する。言い換えれば、着信端末３８０との通話が連結される前待機時間で着信者のウェブページ/ミニホームページに接続してリアルタイムで着信者の情報を受信することができる。また、発信端末３００は、ステップ３１３で、待機時間で待機時間情報管理サーバ３４０から受信した着信者の登録情報データを再生することもできる。ステップ３１４で、着信端末３８０に呼が接続されると、発信端末３００は、待機時間情報の提供を止め、着信端末３８０との通話を連結する。このとき、通話が連結されない場合に、発信者の終了キー入力がない限り継続してウェブ接続が可能なようにする。ここで、発信端末３００と着信端末３８０との通話連結が遂行された後にも所定時間で待機時間情報が提供されるように構成可能である。
【００３６】
ここで、発信端末の待機画面に提供される着信者が設定したウェブ上の情報は、ミニホームページの紹介画面又は着信者が管理するウェブサイト画面である。したがって、端末の通信環境及びＵＩ(Ｕｓｅｒ  Ｉｎｔｅｒｆａｃｅ)に適合するようにコンパイルされて端末機に提供されることが望ましい。
【００３７】
図４は、本発明の第３の実施形態による移動通信システムで待機時間を用いる加入者情報の提供手順を示す。図４を参照すると、着信端末４８０は、ステップ４０１で、待機時間情報管理サーバ４４０にユーザーの情報データを登録することによって待機時間情報提供サービスに加入し、ユーザー情報の公開水準を設定する。本発明の一実施形態によると、着信者は、バイオリズム、株式情報、趣味、特技、人脈情報、人物情報など自己に関する多様な情報を発信者が検索するように予め設定可能である。例えば、通話連結前に着信者のバイオリズムを検索して予め知っておくことによって、通話連結時に、より円滑な対話が可能にし、テレマーケターの場合に、通話連結前、着信者の人脈情報又は人物情報などを予め検索して知っておくことによってテレマーケティングに活用することができる。
【００３８】
発信端末４００は、ステップ４０２で、移動通信交換局４２０に情報検索を要求する該当コード値を含む呼要求メッセージを伝送する。ここで、この情報は、着信者のバイオリズム、株式情報、趣味、特技、人脈情報、人物情報などをウェブ上で検索及び活用可能なリアルタイム情報である。これら情報は、それぞれ検索を要求する特定コード値が＜表１＞のように割り当てられて予め設定可能で、呼要求時に発信者が該当コード値を入力して特定情報の検索を要求する。すなわち、着信者のバイオリズムを待機時間でサービスを受信しようとする場合に、該当情報に割り当てられた特定コード値と着信者呼び出し番号及び通話キー、例えば、“＊０２＊＋０１０９９９９８８８８＋ｓｅｎｄキー”を入力することによって、この情報の検索を要求することができる。
【００３９】
【表１】
2007020193.tif 000003
【００４０】
ここで、コード値は発信者が要求する着信者の情報で、コードは予めシステムと加入者との間に設定された値である。
【００４１】
特定コード値を含む呼要求メッセージを受信した移動通信交換局４２０は、発信端末４００が通話待機時間で着信者の特定情報を検索しようとすることを判断する。移動通信交換局４２０は、ステップ４０３で、コード値を用いて待機時間情報管理サーバ４４０に該当情報の検索を要求する。待機時間情報管理サーバ４４０は、着信端末がサービス加入端末であるか否かを確認し、受信された情報検索要求メッセージのコード値を用いて発信者が検索しようとする着信者の情報が何であるかを判断する。その後、待機時間情報管理サーバ４４０は、情報データの公開水準によりステップ４０４で、メディアサーバ４６０に該当情報を検索するように情報検索要求メッセージを伝送する。
【００４２】
情報検索要求メッセージを受信したメディアサーバ４６０は、ステップ４０５で、データベース又はウェブ上で該当情報を検索して抽出し、ステップ４０６で待機時間情報管理サーバ４４０に検索された着信者情報を伝送する。ここで、メディアサーバ４６０は、情報をリアルタイムで検索でき、この検索した情報を発信者が活用可能なようにインスタントメッセージ形態で提供することもできる。この情報は、着信者が人脈管理のために個人的に生成し、ユーザーデータベース又はウェブ上に予め貯蔵したユーザー情報で、例えば、会社情報、人脈情報、日程管理、バイオリズム、身上情報などとなり、着信者の呼び出し時に、発信者は検索要求情報を入力して着信者情報検索を要求することができる。
【００４３】
検索された情報を受信した待機時間情報管理サーバ４４０は、ステップ４０７で、移動通信交換局４２０にユーザー情報データを伝送する。移動通信交換局４２０は、ステップ４０８で、ユーザー情報とコールＩＤが一致するか否かを確認する。２つの情報が一致すると、移動通信交換局４２０は、ステップ４０９に進行して発信端末４００に検索されたユーザーデータを伝送する。このとき、移動通信交換局４２０は、ステップ４１０で、着信端末４８０に呼要求メッセージを伝送して着信者を呼び出す。
【００４４】
発信端末４００は、ステップ４１１で、待機時間で移動通信交換局４２０から受信したユーザーデータを再生する。また、発信端末４００は、ステップ４１２で、着信端末４８０との呼が接続すると、データの再生を止め、着信端末４８０との通話連結をする。ここで、発信端末４００と着信端末４８０との間の通話連結がなされた後にも、所定時間で待機時間情報が提供されるように構成可能である。
【００４５】
図５は、本発明による移動通信システムで待機時間を用いる加入者情報提供方法の手順を示すフローチャートである。図５を参照すると、移動通信システムは、ステップ５０１で、待機時間情報管理サーバ１０４に加入者の情報を登録し、加入者の要求により情報提供水準を設定する。例えば、通話連結前の待機時間に発信者にサービスしようとする着信加入者の情報は、着信加入者の位置情報、ウェブ上の個人情報、検索情報などを含むユーザー情報となりうる。ウェブ上の個人情報としては、着信者の人物写真、ブログ、ホームページ、自己紹介データ、日程登録情報などがあり、発信者の検索情報としては着信者の会社情報、人脈情報、日程管理、バイオリズム、身上情報などがある。ここで、これら情報の検索は、情報に割り当てられた検索コードを呼要求メッセージに含めて伝送することによって要求でき、検索コードは予めシステムと加入者との間に設定された値である。
【００４６】
移動通信交換局１０３は、ステップ５０３に進行して発信端末の呼要求メッセージが受信されるか否かを検査する。呼要求メッセージが受信されると、移動通信交換局１０３は、ステップ５０５で、着信端末が待機時間サービス加入端末であることを確認し、加入者が予め登録した着信者情報を貯蔵している待機時間情報管理サーバ１０４に着信者情報を要求する。このとき、待機時間情報管理サーバ１０４は、メディアサーバ１０５に接続して設定された情報提供水準により該当情報を検索でき、検索された情報を移動通信交換局１０３に伝送する。
【００４７】
移動通信交換局１０３は、ステップ５０７で、待機時間情報管理サーバ１０４から受信した着信加入者情報とコールＩＤが一致するか否かを検査する。その結果、着信加入者情報とコールＩＤが一致すると、移動通信交換局１０３は、ステップ５０９で、待機時間情報管理サーバ１０４から受信された着信者情報を用いて待機時間情報を生成し、待機時間情報を発信端末に伝送し、着信端末には呼要求メッセージを伝送する。このとき、発信端末は、通話連結前待機時間で受信したデータを再生し、それによって本発明によるアルゴリズムを終了する。
【００４８】
ここで、本実施形態を組み合わせて待機時間情報提供サービスを支援する移動通信システムは、位置/ウェブデータ/検索データを含む着信ユーザー情報を待機時間情報で提供することができる。
【００４９】
図６は、本発明の一実施形態による発信側端末に提供される待機時間情報を示す。図６を参照すると、待機時間情報は、基本的に着信者が登録及び設定した情報で、リアルタイム位置情報が含まれることを特徴とする。しかしながら、待機時間情報は、通話連結のための待機時間に多様に活用可能で、上述した実施形態によるフラッシュ画面、ウェブページ情報も可能である。
【００５０】
また、本発明の実施形態は、コンピュータ読み取り媒体上の読み取りコードによって実現されることができる。コンピュータ読み取り媒体は、コンピュータシステムによって読み出し可能なデータを格納するいずれのデータ格納手段も含むことが可能である。該コンピュータ読み取り媒体は、例えば、磁気記録メディア(ＲＯＭ、フレキシブルディスク、ハードディスクなど)、光学記録メディア(ＣＤ-ＲＯＭ又はＤＶＤなど)、及び搬送波(インターネットを通じる伝送)のような記録メカニズムがある。また、コンピュータ読み取り媒体は、コンピュータシステムに接続されているネットワークを通じてダウンロードされることができ、それによって格納され、実行されることができる。なお、本発明の実施形態を遂行する機能プログラム、コード及びコードセグメントは、本発明が属する技術分野で通常の知識を持つ者には明らかである。
【００５１】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５２】
【図１】本発明による移動通信システムの構造を概念的に示す図である。
【図２】本発明の第１の実施形態による移動通信システムで、待機時間を用いる加入者情報の提供手順を示す図である。
【図３】本発明の第２の実施形態による移動通信システムで、待機時間を用いる加入者情報の提供手順を示す図である。
【図４】本発明の第３の実施形態による移動通信システムで、待機時間を用いる加入者情報の提供手順を示す図である。
【図５】本発明による移動通信システムで、待機時間を用いる加入者情報提供方法の手順を示すフローチャートである。
【図６】本発明による移動通信システムで、発信者端末に提供される待機時間の活用情報を示す例示図である。
【符号の説明】
【００５３】
１０１-１，１０１-２  端末
１０２-１，１０２-２  基地局
１０３  移動通信交換局
１０４  待機時間情報管理システム
１０５  メディアサーバ
１０６  ＧＰＳ衛星
【図１】
2007020193.tif 000004
【図２】
2007020193.tif 000005
【図３】
2007020193.tif 000006
【図４】
2007020193.tif 000007
【図５】
2007020193.tif 000008
【図６】
2007020193.tif 000009